(57)【要約】【課題】  施工の自由度が高まるとともに、施工性が向上し、且つ施工コストも低減される押出成形セメント板の取付方法及びそれに用いる取付装置を得る。【解決手段】  両端面１１ａ、１１ａに開口する複数の中空穴１５が並設された押出成形セメント板１１を、中空穴１５が上下に延在する向きで配置し、押出成形セメント板１１の下面１１ｂを載置する荷重受部２９が形成された吊下げバー１７を、中空穴１５に差し入れ、押出成形セメント板１１の裏面１１ｃから中空穴１５へ貫通して穿設した取付穴に、少なくとも取付穴の貫通長さと同等かそれより長いスリーブを嵌入し、水平片を躯体１３に固着した上部ファスナー２５の垂直片に、バー支持ボルト２３を貫通し、バー支持ボルト２３をスリーブに挿通して吊下げバー１７の雌ネジ孔に螺着することで、吊下げバー１７をスリーブを介して垂直片に固定し、押出成形セメント板１１を建物の躯体１３に取付ける。【選択図】図１
2005048531.tif 000002
【特許請求の範囲】
【請求項１】
両端面に開口する複数の中空穴が並設された押出成形セメント板を、前記中空穴が上下に延在する向きで配置し、
前記押出成形セメント板の下面を載置する荷重受部が形成された吊下げバーを、前記中空穴に差し入れ、
押出成形セメント板の裏面から前記中空穴へ貫通して穿設した取付穴に、少なくとも該取付穴の貫通長さと同等かそれより長いスリーブを嵌入し、
水平片を建物の躯体に固着した上部ファスナーの垂直片にバー支持ボルトを貫通し、
該バー支持ボルトを前記スリーブに挿通して前記吊下げバーの雌ネジ孔に螺着することで、前記吊下げバーを前記スリーブを介して該垂直片に固定し、前記押出成形セメント板を建物の躯体に取付けることを特徴とする押出成形セメント板の取付方法。
【請求項２】
両端面に開口する複数の中空穴が並設された押出成形セメント板の前記中空穴に差し入れられ、雌ネジ孔を有するとともに、下端に押出成形セメント板の下面を載置する荷重受部が形成された吊下げバーと、
押出成形セメント板の裏面から前記中空穴へ貫通して穿設された取付穴と、
該取付穴に嵌入され、少なくとも該取付穴の貫通長さと同等かそれより長いスリーブと、
水平片が建物の躯体に固着され、垂直片に貫通されたバー支持ボルトが前記スリーブに挿通されて前記吊下げバーの雌ネジ孔に螺着されることで、前記吊下げバーが前記スリーブを介して該垂直片に固定される上部ファスナーと
からなることを特徴とする押出成形セメント板の取付装置。
【請求項３】
前記上部ファスナーの垂直片に、二つのボルト穴が横並びに穿設され、
該一方のボルト穴に、前記バー支持ボルトが貫通され、
該他方のボルト穴に、前記中空穴に隣接する他の中空穴へ貫通され、該他の中空穴内でナットに螺合される回転防止ボルトが貫通されたことを特徴とする請求項２記載の押出成形セメント板の取付装置。
【請求項４】
前記他方のボルト穴が、横方向に長い長穴であることを特徴とする請求項３記載の押出成形セメント板の取付装置。
【請求項５】
前記吊下げバーが、断面Ｃ字形のみぞ形鋼からなることを特徴とする請求項２又は３記載の押出成形セメント板の取付装置。
【請求項６】
前記吊下げバーには、前記雌ネジ孔の下方に、他の雌ネジ孔が穿設され、
該他の雌ネジ孔には、Ｚクリップの一端に貫通された下部ボルトが前記押出成形セメント板を貫通して螺合され、
該Ｚクリップの他端と前記押出成形セメント板の裏面との間に、建物の躯体に固着された下部ファスナーの垂直片が挟入されたことを特徴とする請求項２乃至請求項５のいずれか１項記載の押出成形セメント板の取付装置。
【発明の詳細な説明】
【技術分野】
【０００１】
本発明は、両端面に開口する複数の中空穴が並設された押出成形セメント板を、中空穴が上下に延在する向きで建物の躯体に取付ける（所謂、縦貼りする）押出成形セメント板の取付方法及びそれに用いる取付装置に関する。
【背景技術】
【０００２】
未硬化のセメント材を押出した後に硬化させて得る押出成形セメント板は、軽量で、高強度を有することから建物の外装板として好適に用いられる。この種の押出成形セメント板は、一般的にファスナーやＺクリップと称される取付金具を用いることで、建物の躯体に取付けられる。従来、このような押出成形セメント板の取付方法では、押出成形セメント板の最下部で、パネル重量を受けているため、当該最下部に対応する建物の躯体位置に、この重量を受けるための下地が必要であった。
【０００３】
【特許文献１】特開平４−１７９７６６号公報
【０００４】
上記特許文献１に開示される従来の押出成形セメント板の取付方法では、建築物を構成する鉄骨の長方形の板材を縦張りして外壁を形成する場合、図７に示すように建物の外周部に配置されたＨ鋼等からなる鉄骨梁１の上面にアングル材２の一辺２ａを水平に突出させてブラケット３を介して固定し、この一辺２ａに長方形の板材４を縦方向にして載置するとともに、クリップ５を用いて上記アングル材２に係止している。また、板材４の上部は、アングル材２´を一辺が垂直となるようにＨ鋼１の下部にブラケット３´を介して取付け、Ｚクリップ５によって固定している。さらに中間の係止が必要な場合には、上下の梁間に間隔をおいて垂直な鉄骨を複数本取付け、これにブラケットを介してアングル材を取付け、同様にＺクリップ５で係止する（図示せず）。なお、６は床スラブである。
【０００５】
上記板材としては、耐火性に優れ軽量であることから、窯業系材料の押出成形によって造られた、平行な多数の貫通孔が設けられた、長方形の中空板材４が多く用いられている。この中空板材４は、押出成形によって造られるので、断面形状の選択は自由で、長手縁に、本実、相決り等の接合部を容易に形成することができる。上記中空板材４を使用する場合には、貫通孔にナットを入れ、このナットに、Ｚクリップ５に挿通したボルトを螺合することによって中空板材４を強固に固定することができる。
【発明の開示】
【発明が解決しようとする課題】
【０００６】
しかしながら、上記した従来の押出成形セメント板の取付方法は、中空板材（押出成形セメント板）の最下部に対応する建物の躯体に、パネル重量を受けるための下地（アングル材２）を設けることで、押出成形セメント板の鉛直荷重を受けていたため、押出成形セメント板の最下部に必ず下地が設置されていなければならず、建物躯体の構造上、梁の位置とパネル最下部との位置が一致しない場合（例えば、梁下から押出成形セメント板の下部が飛び出す場合）には、パネル荷重を受けるための下地を近傍の梁等から延出させる余分な工事が発生した。このように、従来の押出成形セメント板の取付方法では、特別な下地の必要となることがあり、施工の自由度が低く、特別な下地が必要となれば、手間を要して、施工性が低下するとともに、施工コストも増大した。
また、押出成形セメント板の重量を受けるための下地を設けずに、押出成形セメント板の重量を負担するファスナーを直接押出成形セメント板に取付ける方法は、施工性が良く、低コストでの取付けが可能になるものの、ファスナー取付部に応力集中が発生し易く、長期荷重によって押出成形セメント板にクラックを誘発させる虞があった。
本発明は上記状況に鑑みてなされたもので、施工の自由度が高まるとともに、施工性が向上し、且つ施工コストも低減され、しかも、押出成形セメント板の耐久性、信頼性が高まる押出成形セメント板の取付方法及びそれに用いる取付装置を提供することにある。
【課題を解決するための手段】
【０００７】
上記目的を達成するための本発明に係る請求項１記載の押出成形セメント板の取付方法は、両端面に開口する複数の中空穴が並設された押出成形セメント板を、前記中空穴が上下に延在する向きで配置し、前記押出成形セメント板の下面を載置する荷重受部が形成された吊下げバーを、前記中空穴に差し入れ、押出成形セメント板の裏面から前記中空穴へ貫通して穿設した取付穴に、少なくとも該取付穴の貫通長さと同等かそれより長いスリーブを嵌入し、水平片を建物の躯体に固着した上部ファスナーの垂直片にバー支持ボルトを貫通し、該バー支持ボルトを前記スリーブに挿通して前記吊下げバーの雌ネジ孔に螺着することで、前記吊下げバーを前記スリーブを介して該垂直片に固定し、前記押出成形セメント板を建物の躯体に取付けることを特徴とする。
【０００８】
この押出成形セメント板の取付方法では、押出成形セメント板の主な鉛直荷重が荷重受部と、スリーブとによって支持され、吊り持ち的な支持構造で押出成形セメント板が建物の躯体に取付けられる。従って、躯体構造上、梁下から押出成形セメント板の下部が垂下する場合であっても、特別な下地を設けることなく吊持ち構造で取付けができ、施工の自由度が高まる。そして、このような場合、従来必要であった下地の増設が不要となるので、施工性が向上するとともに、施工コストも低減される。また、吊下げバーがスリーブを介して上部ファスナーに固定されるので、バー支持ボルトの締め付け力が直接押出成形セメント板に加わらなくなり、応力集中が生じず、押出成形セメント板の耐久性、信頼性が高まる。さらに、吊下げバーが中空穴に沿って押出成形セメント板を縦断して挿入されるので、吊下げバーが押出成形セメント板の骨材として働き、仮に押出成形セメント板が破損しても、押出成形セメント板が分離し難くなり、脱落防止のための安全性が高まる。
【０００９】
請求項２記載の押出成形セメント板の取付装置は、両端面に開口する複数の中空穴が並設された押出成形セメント板の前記中空穴に差し入れられ、雌ネジ孔を有するとともに、下端に押出成形セメント板の下面を載置する荷重受部が形成された吊下げバーと、押出成形セメント板の裏面から前記中空穴へ貫通して穿設された取付穴と、該取付穴に嵌入され、少なくとも該取付穴の貫通長さと同等かそれより長いスリーブと、水平片が建物の躯体に固着され、垂直片に貫通されたバー支持ボルトが前記スリーブに挿通されて前記吊下げバーの雌ネジ孔に螺着されることで、前記吊下げバーが前記スリーブを介して該垂直片に固定される上部ファスナーとからなることを特徴とする。
【００１０】
この押出成形セメント板の取付装置では、バー支持ボルトが吊下げバーに螺合されると、吊下げバーがスリーブを介して上部ファスナーに固定される。即ち、押出成形セメント板の下面を荷重受部によって支持した吊下げバーが、上部ファスナーを介して建物の躯体に固定されることになる。従って、押出成形セメント板は、下面が吊下げバーによって支持され、この吊下げバーを介して吊り持ち状態で支持される。これにより、梁下から押出成形セメント板の下部が飛び出す場合であっても、特別な下地を設けることなく取付けが可能となり、施工の自由度が高まる。そして、従来必要であった下地の増設が不要となるので、施工性が向上するとともに、施工コストも低減される。また、吊下げバーがスリーブを介して上部ファスナーに固定されるので、バー支持ボルトの締め付け力が直接押出成形セメント板に加わらなくなり、応力集中が生じず、押出成形セメント板の耐久性、信頼性が高まる。さらに、吊下げバーが中空穴に沿って挿入されるので、仮に押出成形セメント板が破損しても、押出成形セメント板が分離し難くなり、脱落防止のための安全性が高まる。
【００１１】
請求項３記載の押出成形セメント板の取付装置は、前記上部ファスナーの垂直片に、二つのボルト穴が横並びに穿設され、該一方のボルト穴に、前記バー支持ボルトが貫通され、該他方のボルト穴に、前記中空穴に隣接する他の中空穴へ貫通され、該他の中空穴内でナットに螺合される回転防止ボルトが貫通されたことを特徴とする。
【００１２】
この押出成形セメント板の取付装置では、吊下げバーを上部ファスナーに固定するためのバー支持ボルトに加え、回転防止ボルトが垂直片に貫通され、他の中空穴へ貫通されて、この中空穴内でナットに螺合される。従って、一つの上部ファスナーから２本のボルトが押出成形セメント板に貫通され、バー支持ボルトを中心に発生しようとする回転モーメントが回転防止ボルトによって受け止められ、押出成形セメント板の水平軸（バー支持ボルト）回りの回転が規制される。
【００１３】
請求項４記載の押出成形セメント板の取付装置は、前記他方のボルト穴が、横方向に長い長穴であることを特徴とする。
【００１４】
この押出成形セメント板の取付装置では、回転防止ボルトを挿通するために穿設される他方のボルト穴が、横方向に長い長穴となることで、バー支持ボルトに対する回転防止ボルトの位置が、長穴の範囲で移動可能となり、並設される中空穴のピッチが異なる種々の押出成形セメント板に対して、一つの上部ファスナーで対応が可能となる。
【００１５】
請求項５記載の押出成形セメント板の取付装置は、前記吊下げバーが、断面Ｃ字形のみぞ形鋼からなることを特徴とする。
【００１６】
この押出成形セメント板の取付装置では、吊下げバーが、断面Ｃ字形のみぞ形鋼からなることで、簡素な構造で強度が確保され、市販品の利用も可能となる。また、断面形状が四角形の中空穴に対し、断面輪郭形状が同一の四角形となるみぞ形鋼を選定することで、みぞ形鋼の平行二片が中空穴の対向内壁面に当接し、吊下げバーに対する押出成形セメント板のガタツキが確実に防止可能となる。
【００１７】
請求項６記載の押出成形セメント板の取付装置は、前記吊下げバーには、前記雌ネジ孔の下方に、他の雌ネジ孔が穿設され、該他の雌ネジ孔には、Ｚクリップの一端に貫通された下部ボルトが前記押出成形セメント板を貫通して螺合され、  該Ｚクリップの他端と前記押出成形セメント板の裏面との間に、建物の躯体に固着された下部ファスナーの垂直片が挟入されたことを特徴とする。
【００１８】
この押出成形セメント板の取付装置では、上部が上部ファスナーに固定された吊下げバーにおいて、その下部にＺクリップが固定され、このＺクリップと押出成形セメント板裏面との間に、建物の躯体に固着された下部ファスナーの垂直片が挟入されることで、吊下げバー下部における建物躯体から離反する方向の移動が規制される。つまり、吊下げバーは、上部が上部ファスナーによって建物の躯体に固定され、下部がＺクリップを介して下部ファスナーに固定されて、下部にバタツキが生じなくなる。
【発明の効果】
【００１９】
本発明に係る押出成形セメント板の取付方法によれば、中空穴が上下に延在する向きで配置した押出成形セメント板の中空穴に、押出成形セメント板の下面を載置する荷重受部が形成された吊下げバーを差し入れ、躯体に固着した上部ファスナーの垂直片にバー支持ボルトを貫通し、このバー支持ボルトをスリーブに挿通して吊下げバーに螺着することで、吊下げバーを、スリーブを介して上部ファスナーの垂直片に固定するので、押出成形セメント板の鉛直荷重が荷重受部と、スリーブとによって支持され、吊り持ち的な支持構造で押出成形セメント板を建物の躯体に取付けることができる。従って、躯体構造上、梁下から押出成形セメント板の下部が飛び出す場合であっても、特別な下地を設けることなく吊持ち構造で取付けができ、施工の自由度を向上させることができる。そして、このような場合、従来必要であった下地の増設が不要となるので、施工性が向上するとともに、施工コストを低減することができる。また、吊下げバーがスリーブを介して上部ファスナーに固定されるので、バー支持ボルトの締め付け力が直接押出成形セメント板に加わらなくなり、応力集中を生じなくして、押出成形セメント板の耐久性、信頼性を向上させることができる。さらに、吊下げバーが中空穴に沿って挿入されるので、吊下げバーが押出成形セメント板の骨材として働き、仮に押出成形セメント板が破損しても、押出成形セメント板が分離し難くなり、脱落防止のための安全性を大幅に向上させることができる。
【００２０】
また、本発明に係る押出成形セメント板の取付装置によれば、下端に押出成形セメント板の下面を載置する荷重受部が形成され、押出成形セメント板の中空穴に差し入れられる吊下げバーと、押出成形セメント板の裏面から中空穴へ貫通して穿設された取付穴に嵌入され、少なくとも取付穴の貫通長さと同等かそれより長いスリーブと、建物の躯体に固着され、貫通されたバー支持ボルトがスリーブに挿通されて吊下げバーに螺着されることで、吊下げバーがスリーブを介して垂直片に固定される上部ファスナーとを備えたので、バー支持ボルトが吊下げバーに螺合されると、吊下げバーがスリーブを介して上部ファスナーに固定される。即ち、押出成形セメント板の下面を荷重受部によって支持した吊下げバーが上部ファスナーを介して建物の躯体に固定されることになる。従って、押出成形セメント板は、下面が吊下げバーによって支持され、この吊下げバーを介して吊り持ち状態で支持される。この結果、梁下から押出成形セメント板の下部が飛び出す場合であっても、特別な下地を設けることなく取付けができ、施工の自由度を向上させることができる。そして、従来必要であった下地の増設が不要となるので、施工性が向上するとともに、施工コストを低減することができる。また、吊下げバーがスリーブを介して上部ファスナーに固定されるので、バー支持ボルトの締め付け力が直接押出成形セメント板に加わらなくなり、応力集中を生じなくして、押出成形セメント板の耐久性、信頼性を向上させることができる。さらに、吊下げバーが中空穴に沿って挿入されるので、仮に押出成形セメント板が破損しても、押出成形セメント板が分離し難くなり、脱落防止のための安全性を大幅に向上させることができる。
【発明を実施するための最良の形態】
【００２１】
以下、本発明に係る押出成形セメント板の取付方法及びそれに用いる取付装置の好適な実施の形態を図面を参照して詳細に説明する。
図１は本発明に係る押出成形セメント板の取付装置を押出成形セメント板と共に表した側面図、図２は図１のＡ−Ａ矢視図、図３は図２のＢ−Ｂ矢視図、図４は吊下げバーが差し入れられた押出成形セメント板の斜視図、図５は吊下げバーの斜視図、図６は上部ファスナーの側面視を（ａ）、正面視を（ｂ）で表した説明図である。
【００２２】
本実施の形態による押出成形セメント板の取付装置１００は、押出成形セメント板１１を建物の躯体１３に取付ける場合に好適に用いることができる。押出成形セメント板１１には、両端面１１ａ、１１ａに開口する複数の中空穴１５（図４参照）が板面と平行に並設される。この中空穴１５は、未硬化の水硬性材料（セメント等に補強繊維、混和材等を混練したもの）を口金から押出成形する際に、口金に配置した中玉によってセメント材の押出しを排除して形成される。
【００２３】
取付装置１００は、この中空穴１５に差し入れられる吊下げバー１７（図５参照）と、押出成形セメント板１１に穿設される取付穴１９（図４参照）と、この取付穴１９に嵌入されるスリーブ２１と、スリーブ２１に挿通されるバー支持ボルト２３（図１参照）と、躯体１３側に固定されて吊下げバー１７を支持する上部ファスナー２５とを主要な構成部材として有している。
【００２４】
吊下げバー１７は、押出成形セメント板１１の押出し長さに合わせて形成され、図５に示すように、雌ネジ孔２７を有するとともに、下端に押出成形セメント板１１の下面１１ｂ（一方の端面１１ａ）を載置する荷重受部２９を有している。吊下げバー１７は、例えば断面Ｃ字形のみぞ形鋼を好適に用いることができる。吊下げバー１７は、みぞ形鋼からなることで、簡素な構造で強度が確保され、市販品の利用も可能となる。また、断面形状が四角形の中空穴１５に対し、断面輪郭形状が同一の四角形となるみぞ形鋼を選定することで、みぞ形鋼の平行二片１７ａ、１７ａが中空穴１５の対向内壁面１５ａ、１５ａに当接し、吊下げバー１７に対する押出成形セメント板１１のガタツキが確実に防止可能となる。なお、吊下げバー１７は、上記のみぞ形鋼の他、フラットバー、鋼管等であってもよい。
【００２５】
雌ネジ孔２７は、例えばプレートナットＰを溶接して形成することができる。この他、雌ネジ孔２７は、吊下げバー１７自体に雌ネジを直接形成して設けても良い。雌ネジ孔２７の数は、押出成形セメント板１１の長さによって異なり、押出成形セメント板１１が短い場合には一箇所であってもよい。また、押出成形セメント板１１が長い場合には、後に詳述するように、押出成形セメント板１１の下部側を別途Ｚクリップで固定するための他の雌ネジ孔が設けられる。
【００２６】
取付穴１９は、押出成形セメント板１１の裏面１１ｃから中空穴１５へ貫通して穿設されている。押出成形セメント板１１には中空穴１５を挟むように表壁と裏壁とが設けられるが、取付穴１９はこのうち裏壁のみを貫通して形成される。また、取付穴１９は、中空穴１５に差入れられた吊下げバー１７の雌ネジ孔２７と一致するよう配設される。
【００２７】
スリーブ２１は、両端が開口する円筒体からなり、取付穴１９にガタツキ無く挿入（嵌入）される。このスリーブ２１は、軸線方向の長さが、少なくとも取付穴１９の裏壁貫通長さと同等か、それより若干長く形成される。
【００２８】
本実施の形態による取付装置１００は、躯体１３を構成する例えばＨ形鋼材からなる鉄骨梁３１に固定される。鉄骨梁３１は、図１に示すように、平行片３１ａ、３１ａが水平となるように配置されている。上方の平行片３１ａにはフラットプレート３３が溶接固定され延出されている。
【００２９】
上部ファスナー２５は、図６に示すように、水平片３５と垂直片３７とを折曲したＬ字形に形成され、水平片３５には上方へ突出する固定ボルト３９が溶接固定される。固定ボルト３９としては、例えばＭ１６程度のものが使用される。上部ファスナー２５の垂直片３７にはボルト穴４１が穿設される。このボルト穴４１には、吊下げバー１７の雌ネジ孔２７に螺合するバー支持ボルト２３が挿通される。
【００３０】
上部ファスナー２５は、例えば工場出荷時に、予め押出成形セメント板１１に取付けておくことができる。上部ファスナー２５を押出成形セメント板１１に取付けるには、先ず、中空穴１５に吊下げバー１７を差し入れる。また、押出成形セメント板１１の裏面１１ｃに穿設した取付穴１９には、スリーブ２１を嵌入しておく。この状態で、上部ファスナー２５の垂直片３７に設けたボルト穴４１に、バー支持ボルト２３を通し、その先端をスリーブ２１に挿通して、吊下げバー１７の雌ネジ孔２７に螺合する。これにより、吊下げバー１７は、スリーブ２１を介して垂直片３７に固定されることになる。つまり、スリーブ２１の両端が吊下げバー１７と垂直片３７とに当接することで、締付け挟持力が、押出成形セメント板１１の裏壁に直接作用しないようになっている。
【００３１】
上部ファスナー２５の垂直片３７には、二つのボルト穴４１、４３が横並びに穿設される。一方のボルト穴４１には、上記したバー支持ボルト２３が貫通される。他方のボルト穴４３には、中空穴１５に隣接する他の中空穴１５へ貫通され、他の中空穴１５内でナット４５（図３参照）に螺合される回転防止ボルト４７が貫通される。
【００３２】
即ち、上部ファスナー２５では、吊下げバー１７を固定するためのバー支持ボルト２３に加え、回転防止ボルト４７が貫通されて他の中空穴１５内でナット４５に螺合される。従って、一つの上部ファスナー２５から２本のボルトが押出成形セメント板１１に貫通され、バー支持ボルト２３を中心に発生しようとする回転モーメントが回転防止ボルト４７によって受け止められ、押出成形セメント板１１の水平軸（バー支持ボルト２３）回りの回転が規制されるようになっている。
【００３３】
ここで、他方のボルト穴４３は、図２、図６に示すように、横方向に長い長穴であることが好ましい。他方のボルト穴４３が、横方向に長い長穴となることで、バー支持ボルト２３に対する回転防止ボルト４７の位置が、長穴の範囲で移動可能となり、並設される中空穴１５のピッチが異なる種々の押出成形セメント板１１に対して、一つの上部ファスナー２５で対応が可能となる。
【００３４】
本実施の形態において、吊下げバー１７には、雌ネジ孔２７の下方に、図５に示す他の雌ネジ孔５１が穿設されている。この他の雌ネジ孔５１も雌ネジ孔２７と同様に形成することができる。図１、図２に示すように、他の雌ネジ孔５１には、Ｚクリップ５３の一端５３ａに貫通された下部ボルト５５が、押出成形セメント板１１を貫通して螺合される。また、Ｚクリップ５３の他端５３ｂと押出成形セメント板１１の裏面１１ｃとの間には、躯体１３に固着された下部ファスナー５７の垂直片５７ａが挟入されている。なお、Ｚクリップ５３の他端５３ｂと下部ファスナー５７の垂直片５７ａとは、溶接固定されてもよい。
【００３５】
即ち、本実施の形態では、上部が上部ファスナー２５に固定された吊下げバー１７において、その下部にＺクリップ５３が固定され、このＺクリップ５３と押出成形セメント板裏面１１ｃとの間に、建物の躯体１３に固着された下部ファスナー５７の垂直片５７ａが挟入される。これにより、吊下げバー１７の下部における建物躯体１３から離反する方向の移動が規制される。つまり、吊下げバー１７は、上部が上部ファスナー２５によって建物の躯体１３に固定され、下部がＺクリップ５３を介して下部ファスナー５７に固定されて、下部にバタツキが生じないようになっている。
【００３６】
これら上部ファスナー２５、下部ファスナー５７とは、押出成形セメント板１１の大きさにより、左右方向及び上下方向に任意の数で設けることができる。なお、上記したように、押出成形セメント板１１は、小型のものであれば、一つの上部ファスナー２５のみを用いて躯体１３に取付けることができる。
【００３７】
押出成形セメント板１１の裏面１１ｃと、下部ファスナー５７の垂直片５７ａとの間には、弾性を有する緩衝材５９が挟入されることが好ましい。このようにして、押出成形セメント板１１の裏面１１ｃと、下部ファスナー５７の垂直片５７ａとの間に、緩衝材５９が挟入されることで、下部ファスナー５７の垂直片５７ａが緩衝材５９を介して押出成形セメント板１１の裏面１１ｃに当接することとなり、風圧や地震等によって加わる外力によって押出成形セメント板１１と緩衝材５９とに変位が生じても、その変位が緩衝材５９によって吸収され、垂直片５７ａが直接裏面１１ｃに衝接することによる押出成形セメント板１１の破損が防止される。
【００３８】
この押出成形セメント板の取付装置１００によれば、バー支持ボルト２３が吊下げバー１７に螺合されると、吊下げバー１７がスリーブ２１を介して上部ファスナー２５に固定される。即ち、押出成形セメント板１１の下面１１ｂを荷重受部２９によって支持した吊下げバー１７が、上部ファスナー２５を介して建物の躯体１３に固定されることになる。従って、押出成形セメント板１１は、下面１１ｂが吊下げバー１７によって支持され、この吊下げバー１７を介して吊り持ち状態で支持される。これにより、梁下から押出成形セメント板１１の下部が飛び出す場合であっても、特別な下地を設けることなく取付けが可能となり、施工の自由度が高まる。
【００３９】
そして、従来必要であった下地の増設が不要となるので、施工性が向上するとともに、施工コストも低減される。また、吊下げバー１７がスリーブ２１を介して上部ファスナー２５に固定されるので、バー支持ボルト２３の締め付け力が直接押出成形セメント板１１に加わらなくなり、応力集中が生じず、押出成形セメント板１１の耐久性、信頼性が高まる。さらに、吊下げバー１７が中空穴１５に沿って挿入されるので、仮に押出成形セメント板１１が破損しても、押出成形セメント板１１が分離し難くなり、脱落防止のための安全性が高まる。
【００４０】
次に、上記の取付装置１００を用いた押出成形セメント板の取付方法の一例を説明する。
取付装置１００は、押出成形セメント板１１の工場出荷時に、吊下げバー１７及び上部ファスナー２５を予め押出成形セメント板１１に固定しておくことができる。なお、取付装置１００は、押出成形セメント板１１と別体で現場へ搬入し、現場にて押出成形セメント板１１に固定するものであっても勿論よい。以下の説明では、取付装置１００を予め固定する場合を例に説明する。また、本実施の形態では、上部ファスナー２５に加え、Ｚクリップ５３が押出成形セメント板１１に固定される場合を説明する。
【００４１】
先ず、押出成形セメント板１１の中空穴１５に吊下げバー１７を差入れ、押出成形セメント板１１の下面１１ｂに、吊下げバー１７の荷重受部２９を当接させる。これにより、吊下げバー１７の雌ネジ孔２７が取付穴１９に一致する。押出成形セメント板１１の取付穴１９には、予めスリーブ２１を嵌入しておく。
【００４２】
次いで、上部ファスナー２５の垂直片３７にバー支持ボルト２３を通し、スリーブ２１に挿通して雌ネジ孔２７に螺合する。垂直片３７の他方のボルト穴４３には回転防止ボルト４７を通し、他の中空穴１５に入れたナット４５に螺合する。これにより、上部ファスナー２５の押出成形セメント板１１への取付けが完了する。
【００４３】
次いで、Ｚクリップ５３に下部ボルト５５を通し、下部ボルト５５を中空穴１５に入れたナット４５に螺合して仮固定を行う。Ｚクリップ５３は、下部ボルト５５が現場にて緩められることで、裏面１１ｃとの間に間隙が形成され、この間隙に躯体１３に固定された下部ファスナー５７の垂直片５７ａが挟み入れられることになる。また、必要に応じてＺクリップ５３の他端５３ｂに対向する裏面１１ｃに緩衝材５９を貼り付けておく。
【００４４】
上部ファスナー２５、Ｚクリップ５３の取付けられた押出成形セメント板１１は、現場に搬送される。この際、押出成形セメント板１１同士は、上部ファスナー２５及びＺクリップ５３が取付けられた裏面１１ｃ同士の間に離間材が挿入され、傷つきや擦れが防止される。
【００４５】
押出成形セメント板１１の取付けられる躯体１３には、予め所定位置に、フラットプレート３３、下部ファスナー５７が溶接等によって固定されている。押出成形セメント板１１は、上部ファスナー２５の水平片３５に設けられた固定ボルト３９を、フラットプレート３３に下方から挿通し、ナット６１を螺合する。
【００４６】
押出成形セメント板１１の下部側は、Ｚクリップ５３の下部ボルト５５を緩め、それによって形成されたＺクリップ５３と裏面１１ｃとの間隙に、下部ファスナー５７の垂直片５７ａを挿入し、再び下部ボルト５５を締付けることで、躯体１３側に固定する。その後、必要に応じてＺクリップ５３の他端５３ｂと下部ファスナー５７の垂直片５７ａとを溶接固定する。これにより、押出成形セメント板１１の躯体１３への取付けが完了する。
【００４７】
この押出成形セメント板１１の取付方法によれば、押出成形セメント板１１の主な鉛直荷重が荷重受部２９と、スリーブ２１とによって支持され、吊り持ち的な支持構造で押出成形セメント板１１が建物の躯体１３に取付けられる。従って、躯体構造上、梁下から押出成形セメント板１１の下部が垂下する場合であっても、特別な下地を設けることなく吊持ち構造で取付けができ、施工の自由度が高まる。
【００４８】
そして、このような場合、従来必要であった下地の増設が不要となるので、施工性が向上するとともに、施工コストも低減される。また、吊下げバー１７がスリーブ２１を介して上部ファスナー２５に固定されるので、バー支持ボルト２３の締め付け力が直接押出成形セメント板１１に加わらなくなり、応力集中が生じず、押出成形セメント板１１の耐久性、信頼性が高まる。さらに、吊下げバー１７が中空穴１５に沿って押出成形セメント板１１を縦断して挿入されるので、吊下げバー１７が押出成形セメント板１１の骨材として働き、仮に押出成形セメント板１１が破損しても、押出成形セメント板１１が分離し難くなり、脱落防止のための安全性が高まる。
【図面の簡単な説明】
【００４９】
【図１】本発明に係る押出成形セメント板の取付装置を押出成形セメント板と共に表した側面図である。
【図２】図１のＡ−Ａ矢視図である。
【図３】図２のＢ−Ｂ矢視図である。
【図４】吊下げバーが差し入れられた押出成形セメント板の斜視図である。
【図５】吊下げバーの斜視図である。
【図６】上部ファスナーの側面視を（ａ）、正面視を（ｂ）で表した説明図である。
【図７】従来の取付方法によって取付けられた押出成形セメント板を建物の躯体側から見た斜視図である。
【符号の説明】
【００５０】
１１…押出成形セメント板、１１ａ…両端面、１１ｂ…下面、１１ｃ…裏面、１３…建物の躯体、１５…中空穴、１７…吊下げバー、１９…取付穴、２１…スリーブ、２３…バー支持ボルト、２５…上部ファスナー、２７…雌ネジ孔、２９…荷重受部、３５…水平片、３７…垂直片、４１…一方のボルト穴、４３…他方のボルト穴、４５…ナット、４７…回転防止ボルト、５１…他の雌ネジ孔、５３…Ｚクリップ、５３ａ…Ｚクリップの一端、５３ｂ…Ｚクリップの他端、５５…下部ボルト、５７…下部ファスナー、５７ａ…垂直片、５９…緩衝材、１００…押出成形セメント板の取付装置
【図１】
2005048531.tif 000003
【図２】
2005048531.tif 000004
【図３】
2005048531.tif 000005
【図４】
2005048531.tif 000006
【図５】
2005048531.tif 000007
【図６】
2005048531.tif 000008
【図７】
2005048531.tif 000009